(57)【要約】【課題】排気フィルタを通過した空気の流れを分岐させて様々な放熱部品を冷却させることができるだけでなく、騷音を低減させることもできる電気掃除機を提供する。【解決手段】本体と、前記本体内部に設置されて吸引力を発生させるモータを有するモータ組立体と、前記本体内の後方部に備えられて前記モータ組立体を通過した空気から微細な異物をフィルタリングするための排気フィルタと、前記排気フィルタを通過した空気の一部を本体内部にガイドするためのガイド部材とを含む。これにより、本発明による電気掃除機は騷音を低減させることができるだけでなく、排気フィルタを通過した空気を利用して電気掃除機内の放熱部品を冷却させることができる。【選択図】図２
2005185841.tif 000002
【特許請求の範囲】
【請求項１】
本体と、
前記本体内部に設置されて吸引力を発生させるモータを有するモータ組立体と、
前記本体内の後方部に備えられて前記モータ組立体を通過した空気から微細な異物をフィルタリングするための排気フィルタと、
前記排気フィルタを通過した空気の一部を本体内部にガイドするためのガイド部材とを含むことを特徴とする電気掃除機。
【請求項２】
前記ガイド部材は排気フィルタを通過した空気の一部を前記本体内の側面にガイドするための水平ガイド部材と、前記本体内の上方にガイドするための垂直ガイド部材とを有することを特徴とする請求項１に記載の電気掃除機。
【請求項３】
電気掃除機に電源を供給するための電源コードが巻回されるコードリールと複数の電装品を更に含み、前記ガイド部材は前記排気フィルタを通過した空気の一部を前記コードリールと前記電装品側にガイドすることを特徴とする請求項１に記載の電気掃除機。
【請求項４】
前記コードリールは、前記モータの側面に配設され、前記電装品は前記本体内の上部に配置されることを特徴とする請求項３に記載の電気掃除機。
【請求項５】
前記ガイド部材によりガイドされた空気の他の一部を通過させるための複数の通孔及び前記ガイド部材によりガイドされた空気の一部を各通孔にガイドするための複数の曲げられたリブを有することを特徴とする請求項４に記載の電気掃除機。
【請求項６】
前記本体の上部を形成するカバーを更に含み、前記カバーには複数の垂直のガイドリブが備えられていることを特徴とする請求項４に記載の電気掃除機。
【請求項７】
前記モータの騷音を防止するための吸音筒を更に含み、前記吸音筒は前記モータの円筒部を覆うように筐体に取り付けられ、前記モータからの空気が通過する複数の空気通過孔を有することを特徴とする請求項１に記載の電気掃除機。
【請求項８】
前記空気通過孔は、空気の流れ方向に沿ってその直径が次第に小さくなることを特徴とする請求項７に記載の電気掃除機。
【請求項９】
前記空気通過孔は、前記吸音筒の底面の円周方向に沿って一定間隔で形成されていることを特徴とする請求項７に記載の電気掃除機。
【請求項１０】
本体と、
前記本体に設置されて吸引力を発生させるモータと、
前記本体の後方部に備えられて前記モータを通過した空気から微細な異物をフィルタリングするための排気フィルタと、
前記モータの騷音を防止するための吸音筒と、
前記モータと前記吸音筒が載置される筐体と、
前記排気フィルタが設置されるフィルタ設置板と、
前記筐体と前記フィルタ設置板を本体に固定させるためのブラケットと、
前記排気フィルタを通過した空気の一部を本体内部にガイドするためのガイドユニットとを含むことを特徴とする電気掃除機。
【請求項１１】
前記ガイドユニットは、前記ブラケットから水平に延長されて前記排気フィルタを通過した空気の一部を前記本体の一側にガイドするガイド部及び前記フィルタ設置板に形成された開口部を有し、前記排気フィルタからの一部の空気は本体の一側にガイドされることを特徴とする請求項１０に記載の電気掃除機。
【請求項１２】
前記ガイドユニットは、前記本体の上部を形成するカバーを更に含み、前記カバーには排気フィルタを通過した空気の一部を本体の上部にガイドするための垂直のガイドリブが形成されていることを特徴とする請求項１１に記載の電気掃除機。
【発明の詳細な説明】
【技術分野】
【０００１】
本発明は、電気掃除機に関し、より詳しくは、電気掃除機の内部の空気を排出するための排気孔を通過した空気の流れを分岐させることにより、電気掃除機内に配置されている放熱部品の冷却及び騷音を低減させることができる電気掃除機に関する。
【背景技術】
【０００２】
通常、電気掃除機（ｖａｃｕｕｍ  ｃｌｅａｎｅｒ）は、モータ組立体により発生する強い吸引力を利用してゴミ、チリ、ほこりなどの異物を除去する。このような電気掃除機は、例えば電源コードのような放熱部品を冷却する冷却システムを含むことが好ましい。
【０００３】
このような従来の電気掃除機のうちの１つとして、米国特許公報Ｕ.Ｓ.Ｐ.Ｎｏ ６，６１１，９８９号に記載されている「冷却特徴を有する電気掃除機」があり、これを図１に示す。図示のように、従来の電気掃除機は、異物を含む空気を吸入するための吸入ヘッド１０と、この吸入ヘッド１０と連結されているケース２０とを含む。
【０００４】
ケース２０は、異物を含む空気から粗大な異物を捕獲するための集塵袋２４を有する集塵室２２、吸引力を発生させるためのファンモータ組立体３０を有する機器室(ａｐｐｌｉａｎｃｅ ｃｈａｍｂｅｒ)２６及び電源コード４２を収納するためのコード室４０を含み、これらの室２２、２６、４０は隔壁４４、４６、４８により分離されている。
【０００５】
集塵室２２は、ケース２０の前方に位置し、機器室２６及びコード室４０は集塵室２２の後ろのケース２０の後方に配置され、隔壁４８により分離されている。
【０００６】
ファンモータ組立体３０は、モータ筐体３２、モータ筐体３２の周辺に配置される吸音スリーブ３４及びモータ筐体３２からの空気を機器室２６に排出させるための複数の排出口３６を含む。
【０００７】
集塵室２２と機器室２６との間に位置する隔壁４４には、集塵袋２４からの空気をファンモータ組立体３０に通過させる空気吸引口４５が備えられ、集塵室２２とコード室４０との間に設けられる隔壁４６には、これらの間の空気移動のための空気孔４７が備えられる。
【０００８】
また、ケース２０は、ファンモータ組立体３０からの空気から微細な異物をフィルタリングするための排気フィルタ４９と、排気フィルタ４９を通過した空気を外部に排出させるための複数の排気孔５０とを含む。
【０００９】
以下、このような従来の電気掃除機の動作について説明する。
【００１０】
電源コード４２をコード通過孔(図示せず)を通してプラグ(図示せず)に差し込むことによって、電気掃除機が駆動すれば、異物を含む空気はファンモータ組立体３０により吸入ヘッド１０を通して集塵袋２４に吸入され、粗大な異物が集塵袋２４に堆積される。その後、集塵袋２４を通過した空気の一部は、空気吸引口４５を通してファンモータ組立体３０に吸引され、排出口３６を通して機器室２６に排出される。空気が排出口３６を通して排出されるとき、騷音が発生するが、この騷音は吸音スリーブ３４により減少される。従って、排出された空気は、排気フィルタ４９を通して浄化され、最終的に排気孔５０を通して電気掃除機の外部に排出される。残った空気は、集塵袋２４を通過して空気孔４７を通してコード室４０に流れ込み、電源コード４２を冷却させる。
【００１１】
このような構成において、電源コードを冷却させるための空気は、集塵室から空気孔を通して直接コード室に流れ込み、コード通過孔を通して外部に排出される。すなわち、排気フィルタによりフィルタリングされずに排出されるため、非衛生的な異物が外部に排出され、不快な臭いが発生する。
【００１２】
また、電源コード以外の放熱部品に対しては、冷却させることができないという問題があった。
【００１３】
【特許文献１】米国特許第６，６１１，９８９号
【発明の開示】
【発明が解決しようとする課題】
【００１４】
したがって、本発明はこのような従来の問題点を解決するためになされたもので、その目的は、排気フィルタを通過した空気の流れを分岐させて様々な放熱部品を冷却させることができるほか、騷音を低減させることもできる電気掃除機を提供することである。
【課題を解決するための手段】
【００１５】
上記目的を達成するために本発明の一様態による電気掃除機は、本体と、前記本体内部に設置されて吸引力を発生させるモータを有するモータ組立体と、前記本体内の後方部に備えられて前記モータ組立体を通過した空気から微細な異物をフィルタリングするための排気フィルタと、前記排気フィルタを通過した空気の一部を本体内部にガイドするためのガイド部材とを含むことを特徴とする。
【００１６】
本発明の他の様態による電気掃除機は、本体と、前記本体に設置されて吸引力を発生させるモータと、前記本体の後方部に備えられて前記モータを通過した空気から微細な異物をフィルタリングするための排気フィルタと、前記モータの騷音を防止するための吸音筒と、前記モータと前記吸音筒が載置される筐体と、前記排気フィルタが設置されるフィルタ設置板と、前記筐体と前記フィルタ設置板を本体に固定させるためのブラケットと、前記排気フィルタを通過した空気の一部を本体内部にガイドするためのガイドユニットとを含むことを特徴とする。
【発明の効果】
【００１７】
本発明によれば、電気掃除機には吸音筒が備えられているため、モータの騷音を低減させることができるだけでなく、吸音筒に形成されている空気通過孔により空気の流動による騷音も低減させることができるという効果を奏する。また、排気フィルタを通過した空気を利用して電気掃除機内の放熱部品を冷却させることができる。
【発明を実施するための最良の形態】
【００１８】
以下、添付の図面に基づいて本発明による好適な実施の形態について詳細に説明する。
【００１９】
図２は、本発明による電気掃除機（ｖａｃｕｕｍ  ｃｌｅａｎｅｒ）の主要構成要素を説明するための分解斜視図である。
【００２０】
図２に示すように、本発明による電気掃除機は、モータ組立体１１０、フィルタ組立体１２０、モータ組立体１１０とフィルタ組立体１２０を電気掃除機本体(図示せず)に固定させるためのブラケット１３０及び電気掃除機本体の上部を構成するカバー１４０を含む。
【００２１】
モータ組立体１１０は、吸引力を発生させるためのモータ１１２、モータ１１２を取り付けるための筐体１１４、及び吸音筒１１６を有する。吸音筒１１６は、筐体１１４内にモータ１１２の円筒状の体体を取り囲むように設けられる。筐体１１４内にモータ１１２と吸音筒１１６が設けられた後、筐体１１４は蓋１１９により密閉される。吸音筒１１６は、直径方向の断面形状が円形であり、底面１１７を具備するため、長手方向の断面形状は略Ｕ字状を有する(図４Ａ参照)。吸音筒１１６の内壁部には、騷音を低減させるために、例えばフェルトからなる吸音材が付着されており、底面１１７にはメインフィルタ(図示せず)を経由した浄化された空気が通過する複数の空気通過孔１１７aが吸音筒１１６の底面１１７の円周方向に沿って一定間隔で形成されている。空気通過孔１１７aの直径は、底面１１７の下部に行くほど、すなわち空気の流れ方向に沿って次第に小さくなるように形成されている(図４Ａ)。
【００２２】
フィルタ組立体１２０は、掃除機本体の後方部に備えられて空気通過孔１１７aを通過した空気から微細な異物をフィルタリングするための排気フィルタ１２２と、排気フィルタ１２２が取り付けられるフィルタ設置板１２４とを有する。フィルタ設置板１２４は、排気フィルタ１２２からの空気の一部を電気掃除機の内側に通過させるために、例えば後述する電気掃除機に電源を供給するための電源コードを巻き取るためのコードリール１５０に配設される開口部１２６を有する。
【００２３】
ブラケット１３０の一方には、モータ１１２が組み込められている筐体１１４が取り付けられ、他方には排気フィルタ１２２が設置されているフィルタ設置板１２４が取り付けられる。また、ブラケット１３０には、開口部１２６を通過した空気をコードリール１５０にガイドするためのガイド部１３２が設けられている。
【００２４】
カバー１４０の後部には、排気フィルタ１２２を経由した空気の一部を電気掃除機本体の上部にガイドするための複数の垂直のガイドリブ１４２が形成される。
【００２５】
上記のように構成されるモータ組立体１１０とフィルタ組立体１２０とブラケット１３０が互いに組立てられた状態で、図３Ａは空気の流動経路を矢印で示す図であり、図３Ｂはこの組立体へのコードリール１５０の装着を示す分解斜視図である。図３Ｂに示すように、コードリール１５０はモータ組立体１１０の一側に設けられる。
【００２６】
図２、図３Ａ及び図３Ｂから分かるように、排気フィルタ１２２を通過した空気の一部は、開口部１２６を通過した後、ブラケット１３０のガイド部１３２によりコードリール１５０側にガイドされて電源コードを冷却させる。また、コードリール１５０には、図３Ｂに示すように、ガイド部１３２を経由した空気を通過させるための通孔１５４と、この通孔１５４に空気をガイドするための曲げられたリブ１５２とが各通孔１５４の近傍にそれぞれ形成されている。
【００２７】
以下、上記のように構成された本発明による電気掃除機の空流について説明する。
【００２８】
モータ１１２を駆動して、吸引力が発生されると、異物を含む空気が吸引された後、埃などの異物はメインフィルタなどを通してフィルタリングされる。
【００２９】
メインフィルタを通過して空気は、モータ１１２の筐体１１４の内側にガイドされ、モータ１１２の円筒状の本体を取り囲む吸音筒１１６を経由する。したがって、吸音筒１１６によりモータ１１２の騷音が低減される。吸音筒１１６の内周に吸音材が付着されている場合は、モータ１１２の密閉性がさらに向上する。その後、空気が空気通過孔１１７aを通過する。このとき、各空気通過孔１１７aの直径が、上述のように次第に小さくなるため、空気通過孔１１７aを通過する空気の速度は次第に増加する。その結果、速くなった空気の速度により発生される音波も大きくなり、音波の周波数が低周波から高周波に変わる。一般に高周波は低周波より、物体によって反射されやすいため、前記低周波から変えられた高周波は筐体１１４により反射されて、減衰される。これにより、電気掃除機の外部に伝達される騷音が低減する。
【００３０】
次に、上記のように吸音筒１１６を通過した空気は、ブラケット１３０及びフィルタ設置板１２４に取り付けられた排気フィルタ１２２を通過して排出される。空気が排気フィルタ１２２を通過することにより微細な異物がフィルタリングされる。その後、排気フィルタ１１２からの空気の一部は、図４Ａに示すように、フィルタ設置板１２４に形成されている開口部１２６を通してブラケット１３０のガイド部１３２によりコードリール１５０に向かう。上記のように、ブラケット１３０のガイド部１３２によりガイドされてコードリール１５０に向かう空気は、コードリール１５０の側面に形成されているリブ１５２により通孔１５４にガイドされて、コードリール１５０を通過しながら、電源コードを冷却させる。
【００３１】
また、図４Ｂに示すように、フィルタ設置板１２４に取り付けられている排気フィルタ１２２からの空気の他の一部は、垂直のガイドリブ１４２によりブラケット１３０の上部、すなわち複数の電装品が取り付けられた筐体１１４の上方にガイドされ、電装品を冷却させる。
【００３２】
また、排気フィルタ１２２からの空気の他の一部は、排気孔(図示せず)を通して電気掃除機の外部に排気される。
【００３３】
このようにモータ１１２により吸引された空気は、排気フィルタ１２２を経由した後、一部の空気は開口部１２６とガイド部１３２によりコードリール１５０にガイドされて電源コードを冷却させ、同時に他の一部の空気は筐体１１４の上部にガイドされて電装品を冷却させる。また、排気フィルタからの空気の流れを分岐させることによって、電気掃除機の騷音を減少させることができる。
【図面の簡単な説明】
【００３４】
【図１】従来の電気掃除機の断面図である。
【図２】本発明の主要構成を説明するための分解斜視図である。
【図３Ａ】本発明の一部構成の組立状態図である。
【図３Ｂ】本発明の一部構成の組立状態図である。
【図４Ａ】本発明により、空気が電気掃除機の内部から側面にガイドされることを示す状態図である。
【図４Ｂ】本発明により、空気が電気掃除機の内部から上部にガイドされることを示す状態図である。
【符号の説明】
【００３５】
１１０  モータ組立体
１１６  吸音筒
１１７a  空気通過孔
１２０  フィルタ組立体
１３０  ブラケット
１３２  ガイド部
１４０  カバー
１４２  ガイドリブ
１５０  コードリール
１５２  リブ
１５４  通孔
【図１】
2005185841.tif 000003
【図２】
2005185841.tif 000004
【図３Ａ】
2005185841.tif 000005
【図３Ｂ】
2005185841.tif 000006
【図４Ａ】
2005185841.tif 000007
【図４Ｂ】
2005185841.tif 000008